(57)【要約】      （修正有）【課題】回転させる際にぐらつかず安定して操作を行うことが可能な口紅容器の中管の組合せ構造を提供する。【解決手段】口紅をとりつけるための回転台座１０と、内管と、中管構造とからなる。内管は、回転台座１０上に設けられるとともに、スライド溝を備え、内管の内部には、口紅化粧料２０を取り付けるための充填台座１６が設けられる。中管構造は、金属中管２１を、内部に螺旋ガイド溝を備える塑性スリーブに被せて一体にしてなり、中管構造は、内管外側に被せられる。中管構造がとりつけられた回転台座１０の頂部の環状面には、わずかに突出し弾性を備える複数の凸縁片が等分に配置されて設けられ、中管内部に取り付けられた塑性スリーブの底の環状端部２４は、凸縁片に直接貼りつく。【選択図】図２
0003177135.tif 000002
【実用新案登録請求の範囲】
【請求項１】
口紅をとりつけるための回転台座と、内管と、中管構造とからなる口紅容器の中管の組合せ構造であって、
内管は、回転台座上に設けられるとともに、スライド溝を備え、内管の内部には、口紅化粧料を取り付けるための充填台座が設けられ、
中管構造は、金属中管を、内部に螺旋ガイド溝を備える塑性スリーブに被せて一体にしてなり、中管構造は、内管外側に被せられ、
中管構造がとりつけられた回転台座の頂部の環状面には、わずかに突出し弾性を備える複数の凸縁片が等分に配置されて設けられ、中管内部に取り付けられた塑性スリーブの底の環状端部は、凸縁片に直接貼りつくことを特徴とする、口紅容器の中管の組合せ構造。
【請求項２】
凸縁片の底部にはくり抜き溝が設けられ、それにより、凸縁片は弾性を備えることを特徴とする、請求項１に記載の口紅容器の中管の組合せ構造。
【請求項３】
凸縁片は、等分且つ対称的に設けられることを特徴とする、請求項１に記載の口紅容器の中管の組合せ構造。
【請求項４】
スリーブを組み合わせた際、スリーブの頂端は、内管の傾斜端の底縁に係合されることを特徴とする、請求項１に記載の口紅容器の中管の組合せ構造。
【考案の詳細な説明】
【技術分野】
【０００１】
本考案は口紅容器の中管の組合せ構造に関し、特に回転台座における中管を重ねる環状面上に、弾性力をそなえる突出した凸縁片を複数設けて中管を差し込むことにより、安定した位置決め効果が生じ、口紅の化粧料を伸縮させる操作を行う際、ぐらついたり、ぶれたり、安定しない状況が生じないようになり、使用上の安全性を達成することが可能な口紅容器の中管の組合せ構造に関する。
【背景技術】
【０００２】
図５と図６を参照する。従来の口紅容器の構造は、主に、回転台座３０を回転構造の主体とし、回転台座３０から上方に延伸してなる回転内管３１の管面上にスライド溝３２を設け、回転内管３１の内部に、口紅化粧料３３を取り付けるための口紅充填台座３４を設け、組み合わせた回転内管３１の外側に、金属中管４０及び塑性螺旋スリーブ４１を接着して固定することにより、螺旋状のガイド部を備える中管４０を形成させることができる。なお、中管４０内部に、螺旋状ガイド溝４２が設けられたスリーブ４１を通すことにより、口紅充填台座３４の両側が延伸する凸柱３５がガイド溝４２及び内管３１管面上のスライド溝３２に差し込まれて、制限された範囲内で移動させることができる。それにより、回転台座３０を回転させることで、口紅充填台座３４の昇降操作を行い、内部に取り付けられた口紅化粧料３３を上昇させて露出させ、化粧を行うことができる。また、回転台座３０を反対方向に回転させると、充填台座３４を、内管３１の底部に簡単に納めることができ、口紅化粧料３３を安全に収容することができる。以上のようにして、完全な口紅容器の構造が構成される。
【０００３】
口紅容器の回転台座３０の内管３１は中管４０に差し込まれ、中管４０の底部端縁は、回転台座３０の階段状の頂端面３６に当接し、中管４０には、事前に、螺旋スリーブ４１が内部に接着される。その塑性スリーブ４１は、金属製中管４０と結合された後、回転台座３０と組み合わせた際の回転をしやすくするために、塑性成型の時に隙間が設けられるが、回転台座３０との間の組み合わせのサイズをそれほど正確につくることはできないため、通常、ある程度の隙間が生じる。この隙間が原因で、中管４０を握って回転させた時、回転台座３０と中管４０の間に、ぐらつくほどの隙間が生じ、回転させて昇降させた時に、ぐらついてずれる状況が発生し、口紅化粧料３３が伸縮する際のスライド方向に直接影響する。さらに、もし、螺旋ガイド溝４２とスライド溝３２間の組み合わせの隙間がある場合は、回転の時に全体のぐらつきがさらにひどくなり、口紅容器の品質制御が悪くなるだけでなく、製品の価値にも直接影響を及ぼす。
【考案の概要】
【考案が解決しようとする課題】
【０００４】
本考案は、回転台座における中管を重ねた環状面に、底部がくり抜き溝を備えるとともに、わずかに突出していて押し上げる弾性力を備えた凸縁片を設けることで、中管は押し上げられてぴったりと貼りつくことができ、複数の点が弾性力をもって接触することにより、回転台座を回転させた際、少ない力で操作できるとともに操作が安定し、さらに、中管と内管の間に隙間が生じないようになり、回転した時に安定せずにぐらついたりする状況が生じず、口紅を伸縮させる操作を、安定且つ安全に行うことが可能な口紅容器の中管の組合せ構造を提供することを目的とする。
【０００５】
また、本考案は、回転台座の頂部の環状面に、弾性を備えわずかに突出している凸縁片を等分に間隔をあけて設けることにより、凸縁片が環状面に沿って点状に接触して支えることになり、回転台座を回転させる際に更に安定するとともに少ない力で操作を行うことができ、また、組合せるときのわずかな隙間がなくなり、口紅容器の製作と組み立てをさらに簡単で便利にすることができ、安全性も兼ね備えている口紅容器の中管の組合せ構造を提供することを目的とする。
【課題を解決するための手段】
【０００６】
本考案の口紅容器の中管の組合せ構造は、口紅容器の中管と塑性スリーブを、内管底部と、回転台座頂部の環状面の連結箇所に取り付ける。回転台座の環状面上には、くりぬき設計により弾性を備えるとともにわずかに突出した複数の凸縁片が設けられ、中管を取り付けると、凸縁片が底端から弾性力で押し上げて位置決めすることにより、実際に組み合わせた際の隙間をなくすことができ、口紅を回転させて操作した時、ぐらつく等の不良動作を起こすことがなくなる。
【図面の簡単な説明】
【０００７】
【図１】本考案の口紅容器の構成部材の外観を示した分解図である。
【図２】本考案の口紅容器を組み合わせた状態の外観を示した斜視図である。
【図３】本考案の口紅容器の構造を示した断面図である。
【図４】本考案の口紅容器の中管と回転台座の組合せの構造を示した拡大図である。
【図５】従来の口紅容器の構成部材の外観を示した分解図である。
【図６】従来の口紅容器の構造を示した断面図である。
【考案を実施するための形態】
【０００８】
本考案による口紅容器の中管の組合せ構造は、従来の口紅容器の構造のそれと似ている。図１から図４に示すように、本考案による口紅容器の中管の組合せ構造は、回転台座１０を備える。回転台座１０の底部は、大き目の環状台座構造を形成し、回転させるのに持ちやすくなっている。回転台座１０の頂縁には、底部にくり抜き溝１１を備える複数の凸縁片１２が等分且つ対称的に設けられる。凸縁片１２の底部のくり抜き溝の間隔により、わずかに突出した凸縁片１２は、弾性力で押す効果が自然に形成される。また、回転台座１０頂端中央における  フレームの周りに分布した凸縁片１２の内縁は、上に向かって延伸して内管１３を形成し、内管１３の頂端は、凸出した傾斜端１４を形成し、内管の頂縁の剛性を補助する。内管１３の管面上には、相対的な垂直状のスライド溝１５が設けられ、内管１３の内部には、口紅化粧料２０を取り付けるための充填台座１６が差し込まれ、充填台座１６の相対する外側の環状面には、突出する位置決め凸柱１７が設けられる。凸柱１７は、スライド溝１５の内部に差し込まれ、充填台座１６を組み合わせた内管１３の外側からわずかに突出する。金属中管２１と塑性螺旋スリーブ２２は、相互に組み合わされて完全な中管２１構造を形成する。その際、中管２１の内縁、或いは、スリーブ２２の外環状面に接着剤を塗布し、中管２１とスリーブ２２は相互に接着されて一体構造となる。なお、スリーブ２２の内環状面には、凹んだ螺旋ガイド溝２３が設けられ、スリーブ２２の底部は、階段状の環状端部２４を形成し、環状端部２４の外径は、回転台座１０及び中管２１の外径と同じである。以上の構造により、環状端部２４の外環を、中管２１及び回転台座１０に組み合わせると、外側の環状部分が平らになる。即ち、中管２１の底端が、環状端部２４の上縁に当接して平らになる。また、スリーブ２２の頂端は、中管２１が内管１３に差し込まれた後、内管１３頂部の傾斜端１４底縁に当接し、係合されて位置決め効果が生じる。内管１３が取り付けられると、内管１３の頂端は、中管２１のビーム管端２５下方に覆われるとともに、口紅充填台座１６から突出した凸柱１７の一部が、螺旋ガイド溝２３内部に直接差し込まれる。それにより、口紅を使用したい時、一方の手で回転台座１０を回転させ、もう一方の手で、中管２１の環状外部を握って固定すると、内側に設けられた螺旋スリーブ２２も同時に握られて固定されることにより、内部の口紅充填台座１６を、スリーブ２２内縁の螺旋ガイド溝２３に沿って、回転しながら上に移動させることができる。また、スライド溝の１５により、口紅を上方に押しだす際に、その方向を垂直へ固定することができ、化粧がしやすくなる。中管２１を差し込んだ後の内縁スリーブ２２の底部の環状端部２４底端は、回転台座１０の弾性凸縁片１２上方に係合され、それにより、塑性螺旋スリーブ２２を組み合わせた中管２１の構造を、内管１３等の部材としっかり結合することができ、ぐらつくことがなくなる。また、内管１３内に設けられた口紅充填台座１６をスライド溝１５及びガイド溝２３内に確保することができ、適切なプッシュによる位置決め補助効果を達成することができる。それにより、全体を回転させて昇降操作を���う時に、安定させてスライド操作を行うことができるため、口紅化粧料２０の使用の安全性を高めることができる。また、外側には、外蓋２６をかぶせられ、それにより、被覆されて、安全に使用することができる口紅容器を形成させることができる。
【０００９】
本考案の口紅容器の中管の組合せ構造において、従来の技術から改良した特徴を以下に記載する。回転台座１０の座体の頂部の環状面上に、底部にくり抜き溝１１を備える複数の弾性凸縁片１２を等分に配置して設け、中管２１を塑性螺旋スリーブ２２と結合して一体にした後、内管１３に差し込むと、中管２１の底端縁は、回転台座１０頂端における僅かに突出した凸縁片１２の凸弧面上に、点状に且つ押し上げるように接触する。それにより、口紅容器の中管２１内部の構成部材全体の結合が、凸縁片１２の弾性に押されて、安定する。また、点と面が接触する組合せ方式により、接触面積が小さくなるため、口紅容器を回転させて操作する際、小さい力で操作することができるとともに、ぐらつくことなくなる。それは、つねに均一な弾性力で押して位置決めするので、回転台座１０を回転させた時、少ない力で操作ができるとともに、干渉があまり生じないためである。弾性力によって上に押して位置決めするこの設計により、内部に設けられた口紅充填台座１６をスライド移動させて昇降させる際に、その凸柱１７とスライド溝１５及びガイド溝２３の間に隙間が生じず、回転移動の操作を更に安定させることができる。この従来技術から改良した特性により、明らかに、従来の口紅容器の各種回転構造の欠点を改善することができる。即ち、塑性成型の時に、成形サイズの精度が不十分でないことにより、各構成部材の間に隙間が生じ、その隙間により製品を回転させる際にぐらつく、という問題を完全に解決することができる。それにより、口紅容器の品質が向上するとともに、使用上の安全性が向上し、且つ製品の価値が高まる。このように、組合せをさらに安定させることができる本考案の構造は、革新的且つ実用性を備えているといえる。
【符号の説明】
【００１０】
１０      回転台座          
１１      くり抜き溝
１２      凸縁片          
１３      内管
１４      傾斜端                 
１５      スライド溝
１６      充填台座          
１７      凸柱
２０      口紅化粧料            
２１      中管
２２      スリーブ            
２３      ガイド溝
２４      環状端部                  
２５      ビーム管端
２６      外蓋
３０      回転台座          
３１      内管
３２      スライド溝            
３３      口紅化粧料
３４      充填台座               
３５      凸柱
３６      頂端面
４０      中管            
４１      スリーブ
４２      ガイド溝              
【図１】
0003177135.tif 000003
【図２】
0003177135.tif 000004
【図３】
0003177135.tif 000005
【図４】
0003177135.tif 000006
【図５】
0003177135.tif 000007
【図６】
0003177135.tif 000008